(57)【特許請求の範囲】
【請求項１】
ボックス本体の前面開口を開閉する扉又は蓋に装着されて、扉又は蓋をボックス本体に締め付け固定する締付けファスナーであって、
内周面が後端部で小径の円筒形、中間部で中径の円筒形、前端部で大径の円筒形を呈する略筒形に形成され、後端部にボックス本体の前面と平行な規制溝を直径上で対向させて２つ有するとともに当該各規制溝の一端部に前方に向けて延びる凹部を有し、前端部の周面の一部に切り欠き部を有する本体ケースと、
前記本体ケースの中間部の円筒形内で回転可能に略円筒形を呈し、周面前端に係止凸起又は係合凹部を有し、周面に、周面前端側で相互に対向する位置２箇所から相互に周方向逆向きに螺旋状に周面後端側で相互に対向する位置２箇所まで延びる一対のスリットからなる一対のガイド溝を有し、前記本体ケースの中間部の円筒形内に嵌挿されるカラーと、
前記本体ケースの中間部の円筒形内で回転可能に円柱形を呈し、周面後端に前記カラーの前記係止凸起又は係合凹部に係合可能な係合凹部又は係止凸起を有し、後端面に溝を有する回転駆動部、前記回転駆動部の前端部に連続して前記本体ケースの前端部の大径の円筒形内に嵌合可能に略円筒形に形成され、周面の一部に前記本体ケースの前記切り欠き部に連通する切り欠き部を有する操作レバー取付部、及び前記操作レバー取付部内にシャフトを介して、前記操作レバー取付部から前記回転駆動部の軸方向に沿って突出される操作位置と前記操作レバー取付部内に前記操作レバー取付部及び前記本体ケースの前記各切り欠き部を通して倒伏される収納位置との間で回動可能に取り付けられる操作レバーからなる操作部と、
前記カラー内に嵌挿され、前記本体ケースの後端部から突出されるロックシャフトと、
前記ロックシャフトの前端部側で直径方向に貫通して設けられ、両端部を前記カラーの各ガイド溝に挿通される作動ピンと、
前記ロックシャフトの中間部に直径方向に貫通して設けられ、両端部を前記本体ケースの規制溝に配置される規制ピンと、
前記ロックシャフトの後部に設けられて前記ロックシャフトの側方に突出され、ボックス本体内に設けられる受け部に係脱される止め金と、
前記回転駆動部の溝に挿入され、前記ロックシャフトを後方に向けて押圧付勢する圧縮コイルバネと、
を備え、
前記本体ケースが扉又は蓋に挿着固定されて取り付けられ、
前記操作レバーにより前記操作部を一方向へ回動操作することにより、前記カラーが回転して、前記カラーの前記螺旋状のガイド溝と前記ロックシャフトの前記作動ピンとの係合案内及び前記本体ケースの前記凹部と前記ロックシャフトの前記規制ピンとの係合案内により、前記ロックシャフトが前記本体ケースから押し出されて、前記止め金を前記受け部に対して締め込み錠止する錠止位置から後方の対向位置まで直線的に移動し、これに続く前記カラーの前記螺旋状のガイド溝と前記ロックシャフトの前記作動ピンとの係合案内及び前記ロックシャフトの前記規制ピンと前記本体ケースの前記規制溝との係合案内により、前記ロックシャフトが回転し、前記止め金を受け部に対して後方の対向位置から対向しない錠止解除位置まで回動し、
反対に、前記操作レバーにより前記操作部を他方向へ回動操作することにより、前記カラーが回転して、前記カラーの前記螺旋状のガイド溝と前記ロックシャフトの前記作動ピンとの係合案内及び前記ロックシャフトの前記規制ピンと前記本体ケースの前記規制溝との係合案内により、前記ロックシャフトが回転して、前記止め金を前記錠止解除位置から前記受け部に対して後方の対向位置まで回転し、これに続く前記カラーの前記螺旋状のガイド溝と前記ロックシャフトの前記作動ピンとの係合案内及び前記本体ケースの前記凹部と前記ロックシャフトの前記規制ピンとの係合案内により、前記ロックシャフトが前記本体ケースに引き入れられて、前記止め金を前記受け部に対して後方の対向位置から前記受け部に対して締め込み錠止する前記錠止位置まで直線的に移動し、併せて、前記操作レバーを前記操作レバー取付部内の収納位置に前記操作レバー取付部及び前記本体ケースの前記各切り欠き部を通して倒伏収納することにより、前記操作部を回転止めするとともに、当該収納位置の操作レバーにより前記止め金と前記受け金との正規の係合状態を表示する、
ことを特徴とする締付けファスナー。
【請求項２】
一対のガイド溝は、カラーの周面が、周面前端に近接する相互に対向する位置２箇所に周方向に長い長穴を形成されて前記各長穴から相互に周方向逆向きに斜めに周角度１１０°から１４０°までの範囲内で周面後端に近接する相互に対向する位置２箇所まで切り抜かれて略蛇形に形成される請求項１に記載の締付けファスナー。
【請求項３】
操作レバーは、操作レバー取付部において操作位置及び収納位置で前記操作レバー取付部の底部に対向する各部に平面を呈するストッパー部を有し、前記操作レバー取付部の底部に前記操作レバーの各ストッパー部に係合可能に断面略台形を呈する板バネを有し、前記各ストッパー部と前記板バネとの係合により、前記操作位置及び収納位置の前記操作レバーを保持する請求項１又は２に記載の締付けファスナー。
【請求項４】
操作レバーにリング状の封緘具を挿通可能に孔を有し、扉若しくは蓋又はボックス本体又はその近傍に前記封緘具を挿通可能な孔を有する封緘具取付部を取り付けられ、前記操作レバーの孔と前記封緘具取付部の孔との間に前記封緘具が通されロックされて、扉又は蓋を封緘する請求項１乃至３のいずれかに記載の締付けファスナー。
【発明の詳細な説明】
【技術分野】
【０００１】
本発明は、扉や蓋をボックス本体（筐体）にしっかりと締め付け固定するのに使用する締付けファスナーに関する。
【背景技術】
【０００２】
一般に、電気機器や通信機器などが収納設置されるボックスは、扉がボックス本体の開口の左右一方の側部にヒンジを介して回動可能に取り付けられ、左右他方の側部に締付けファスナーが装着されて、この締付けファスナーにより、扉がボックス本体の開口上にしっかりと締め付け固定される。また、この種のボックスでは、ボックス本体内部を扉により水密に遮蔽するために、ボックス本体の開口周縁部にパッキンが取り付けられていて、締付けファスナーにより、扉とボックス本体との間でパッキンが締め込み圧縮されるようになっている。
【０００３】
この種のボックスに使用される締付けファスナーが、従前、本願出願人から特許文献１により提案されている。
この文献１の締付けファスナーは、後端部にボックス本体の前面と平行な規制溝を直径上で対向させて２つ有し、この規制溝の一端部に前方に引き込んだ凹部を有する固定外筒と、周側壁部に互いに逆向きに傾斜した溝部分からなるヘ字状の誘導溝を直径上で対向させて２つ有し、固定外筒に嵌挿される回転内筒と、固定外筒から突出され回転内筒の前端部に固着される操作ハンドルと、回転内筒に嵌挿されるロック軸と、固定外筒の後方に突出されるロック軸の後部に一体に形成される止め金と、ロック軸の前端部に直径方向に設けられ、両端部を誘導溝に嵌挿される連動ピンと、ロック軸の後部に直径方向に設けられ、両端部を規制溝に嵌挿される停止ピンと、固定外筒と止め金の間に挿入され、ロック軸を後方に摺動付勢する圧縮コイルバネとを備えて構成され、固定外筒が扉に挿通固着されて取り付けられる。
この締付けファスナーでは、操作ハンドルを施錠方向、この場合、反時計回り方向に回すと、ロック軸の止め金がボックス本体の受け金に係合されて、扉がボックス本体に締め付け錠止される。
そして、操作ハンドルを解錠方向、この場合、時計回り方向に回すと、見掛け上連動ピンが溝部分の後端部から他方の溝部分との交差部へ移動し、この過程において連動ピンが前方に傾斜した溝部分の内壁面によって押されるため、このカム作用によってロック軸は若干だけ後方摺動され、停止ピンが規制溝の凹部の最深部から若干浮き上がる。さらに回転内筒の回転が続行されると、連動ピンは交差部から他方の溝部分へと移動し、連動ピンが溝部分の後端部に到達したときには、停止ピンは規制溝の凹部から脱出し、ロック軸は固定外筒に対して回転可能となり、停止ピンが凹部から脱出すると、止め金も後方に直線移動して受け金から離脱される。この操作ハンドルによって回転内筒をさらに解錠方向にある角度だけ回転すると、ロック軸が回転内筒と一体的に回転し、このロック軸の回転時に停止ピンは規制溝内を時計回り方向に移動して、停止ピンが規制溝の凹部とは反対側の端部まで到達し、止め金が受け金と衝突しない位置まで回転される。これにより、この締付けファスナーによる扉のボックス本体に対する錠止が解除され、操作ハンドルを手前に引けば、扉が開放される。
なお、この締付けファスナーの場合、止め金の締付けストロークは３．５ｍｍである。
【先行技術文献】
【特許文献】
【０００４】
【特許文献１】特開２０００−３２０１９８公報
【発明の概要】
【発明が解決しようとする課題】
【０００５】
しかしながら、上記従来の締付けファスナーでは、次のような問題がある。
（１）ボックス本体の開口周縁部にパッキンが取り付けられていると、扉を前方から押えていても、扉がパッキンの反力により押し返されるため、一般的な締付けファスナーでは、操作ハンドルを回して、止め金をボックス本体の受け金に迫り合い係合させるときに、この止め金がボックス本体の開口縁部に当たり、錠止しにくい。これに対して、上記従来の締付けファスナーでは、操作ハンドルを錠止方向に回すと、止め金が受け金に対して後方に少し離隔された位置で回転されて受け金に対向し、続けて操作ハンドルを回すと、ロック軸とともに止め金が受け金に対して徐々に前方に移動し迫り合い係合するため、一般的な締付けファスナーに比べて、止め金がボックス本体の開口縁部に当たりにくい。しかしながら、パッキンが厚いものになると、既述のとおり、扉がパッキンの反力により大きく押し返されるので、止め金がボックス本体の開口縁部に当たり、錠止しにくくなる。
（２）上記従来の締付けファスナーでは、操作ハンドルが軸（回転内筒）に対して略直角方向に延びるつまみ形式になっているので、止め金と受け金が係合しているか又は離脱されているかは操作ハンドルの外部からでは分からない。このため、操作ハンドルをしっかりと回して止め金を受け金に掛けたつもりが、実際には止め金が受け金の一部にしか掛かっていないなど、正規の位置で係合していないことがある。止め金が受け金の一部にしか掛かっていなければ、ボックスが外部から振動を受けたときに、止め金が受け金から外れて、扉が開いてしまうおそれがある。
【０００６】
本発明は、このような従来の問題を解決するもので、この種の締付けファスナーにおいて、止め金の締付けストロークを大幅に大きくして、パッキンが厚いものであっても、止め金をボックス本体に当たらないようにして、錠止を確実に行えるようにすること、操作ハンドルの外部からの目視だけで、止め金が受け金に対して正規の位置で係合しているか否か、すなわち、扉又は蓋がボックス本体に確実に錠止（固定）されているか否かを確認できるようにすること、を目的とする。
【課題を解決するための手段】
【０００７】
上記目的を達成するために、本発明は、
ボックス本体の前面開口を開閉する扉又は蓋に装着されて、扉又は蓋をボックス本体に締め付け固定する締付けファスナーであって、
内周面が後端部で小径の円筒形、中間部で中径の円筒形、前端部で大径の円筒形を呈する略筒形に形成され、後端部にボックス本体の前面と平行な規制溝を直径上で対向させて２つ有するとともに当該各規制溝の一端部に前方に向けて延びる凹部を有し、前端部の周面の一部に切り欠き部を有する本体ケースと、
前記本体ケースの中間部の円筒形内で回転可能に略円筒形を呈し、周面前端に係止凸起又は係合凹部を有し、周面に、周面前端側で相互に対向する位置２箇所から相互に周方向逆向きに螺旋状に周面後端側で相互に対向する位置２箇所まで延びる一対のスリットからなる一対のガイド溝を有し、前記本体ケースの中間部の円筒形内に嵌挿されるカラーと、
前記本体ケースの中間部の円筒形内で回転可能に円柱形を呈し、周面後端に前記カラーの前記係止凸起又は係合凹部に係合可能な係合凹部又は係止凸起を有し、後端面に溝を有する回転駆動部、前記回転駆動部の前端部に連続して前記本体ケースの前端部の大径の円筒形内に嵌合可能に略円筒形に形成され、周面の一部に前記本体ケースの前記切り欠き部に連通する切り欠き部を有する操作レバー取付部、及び前記操作レバー取付部内にシャフトを介して、前記操作レバー取付部から前記回転駆動部の軸方向に沿って突出される操作位置と前記操作レバー取付部内に前記操作レバー取付部及び前記本体ケースの前記各切り欠き部を通して倒伏される収納位置との間で回動可能に取り付けられる操作レバーからなる操作部と、
前記カラー内に嵌挿され、前記本体ケースの後端部から突出されるロックシャフトと、
前記ロックシャフトの前端部側で直径方向に貫通して設けられ、両端部を前記カラーの各ガイド溝に挿通される作動ピンと、
前記ロックシャフトの中間部に直径方向に貫通して設けられ、両端部を前記本体ケースの規制溝に配置される規制ピンと、
前記ロックシャフトの後部に設けられて前記ロックシャフトの側方に突出され、ボックス本体内に設けられる受け部に係脱される止め金と、
前記回転駆動部の溝に挿入され、前記ロックシャフトを後方に向けて押圧付勢する圧縮コイルバネと、
を備え、
前記本体ケースが扉又は蓋に挿着固定されて取り付けられ、
前記操作レバーにより前記操作部を一方向へ回動操作することにより、前記カラーが回転して、前記カラーの前記螺旋状のガイド溝と前記ロックシャフトの前記作動ピンとの係合案内及び前記本体ケースの前記凹部と前記ロックシャフトの前記規制ピンとの係合案内により、前記ロックシャフトが前記本体ケースから押し出されて、前記止め金を前記受け部に対して締め込み錠止する錠止位置から後方の対向位置まで直線的に移動し、これに続く前記カラーの前記螺旋状のガイド溝と前記ロックシャフトの前記作動ピンとの係合案内及び前記ロックシャフトの前記規制ピンと前記本体ケースの前記規制溝との係合案内により、前記ロックシャフトが回転し、前記止め金を受け部に対して後方の対向位置から対向しない錠止解除位置まで回動し、
反対に、前記操作レバーにより前記操作部を他方向へ回動操作することにより、前記カラーが回転して、前記カラーの前記螺旋状のガイド溝と前記ロックシャフトの前記作動ピンとの係合案内及び前記ロックシャフトの前記規制ピンと前記本体ケースの前記規制溝との係合案内により、前記ロックシャフトが回転して、前記止め金を前記錠止解除位置から前記受け部に対して後方の対向位置まで回転し、これに続く前記カラーの前記螺旋状のガイド溝と前記ロックシャフトの前記作動ピンとの係合案内及び前記本体ケースの前記凹部と前記ロックシャフトの前記規制ピンとの係合案内により、前記ロックシャフトが前記本体ケースに引き入れられて、前記止め金を前記受け部に対して後方の対向位置から前記受け部に対して締め込み錠止する前記錠止位置まで直線的に移動し、併せて、前記操作レバーを前記操作レバー取付部内の収納位置に前記操作レバー取付部及び前記本体ケースの前記各切り欠き部を通して倒伏収納することにより、前記操作部を回転止めするとともに、当該収納位置の操作レバーにより前記止め金と前記受け金との正規の係合状態を表示する、
ことを要旨とする。
この締付けファスナーでは、一対のガイド溝は、カラーの周面が、周面前端に近接する相互に対向する位置２箇所に周方向に長い長穴を形成されて前記各長穴から相互に周方向逆向きに斜めに周角度１１０°から１４０°までの範囲内で周面後端に近接する相互に対向する位置２箇所まで切り抜かれて略蛇形に形成されることが好ましい。
また、この締付けファスナーでは、操作レバーは、操作レバー取付部において操作位置及び収納位置で前記操作レバー取付部の底部に対向する各部に平面を呈するストッパー部を有し、前記操作レバー取付部の底部に前記操作レバーの各ストッパー部に係合可能に断面略台形を呈する板バネを有し、前記各ストッパー部と前記板バネとの係合により、前記操作位置及び収納位置の前記操作レバーを保持するようにすることが好ましい。
さらに、この締付けファスナーでは、操作レバーにリング状の封緘具を挿通可能に孔を有し、扉若しくは蓋又はボックス本体又はその近傍に前記封緘具を挿通可能な孔を有する封緘具取付部を取り付けられ、前記操作レバーの孔と前記封緘具取付部の孔との間に前記封緘具が通されロックされて、扉又は蓋を封緘するようにすることが好ましい。
【発明の効果】
【０００８】
本発明の締付けファスナーによれば、上記の構成により、次のような本発明独自の格別な効果を奏する。
（１）操作レバーにより操作部を一方向へ回動操作することにより、カラーを回転させて、カラーの一対の螺旋状のガイド溝とロックシャフトの作動ピンとの係合案内及び本体ケースの各凹部とロックシャフトの規制ピンとの係合案内により、ロックシャフトを本体ケースから押し出して、止め金を受け部に対して締め込み錠止する錠止位置から後方の対向位置まで直線的に移動し、これに続くカラーの螺旋状のガイド溝とロックシャフトの作動ピンとの係合案内及びロックシャフトの規制ピンと本体ケースの規制溝との係合案内により、ロックシャフトを回転し、止め金を受け部に対して後方の対向位置から対向しない錠止解除位置まで回動し、反対に、操作レバーにより操作部を他方向へ回動操作することにより、カラーを回転させて、カラーの螺旋状のガイド溝とロックシャフトの作動ピンとの係合案内及びロックシャフトの規制ピンと本体ケースの規制溝との係合案内により、ロックシャフトを回転して、止め金を錠止解除位置から受け部に対して後方の対向位置まで回転し、これに続くカラーの一対の螺旋状のガイド溝とロックシャフトの作動ピンとの係合案内及び本体ケースの凹部とロックシャフトの規制ピンとの係合案内により、ロックシャフトを本体ケースに引き入れて、止め金を受け部に対して後方の対向位置から受け部に対して締め込み錠止する錠止位置まで直線的に移動するようにしたので、一対の螺旋状のガイド溝により止め金の締付けストロークを大幅に大きくして、扉又は蓋とボックス本体との間に配置されるパッキンが厚いものであっても、止め金をボックス本体に当たらないようにして、錠止を確実に行うことができる。
（２）操作レバーにより操作部を他方向へ回動操作することにより、止め金を受け金に対して締め込み錠止したときに、併せて操作レバーを操作レバー取付部内の収納位置に操作レバー取付部及び本体ケースの各切り欠き部を通して倒伏収納することにより、操作部を回転止めするとともに、止め金と受け金との正規の係合状態を表示するようにしたので、締付けファスナーによる確実な錠止を行い、これを保持することができ、さらに、操作ハンドルの外部からの目視だけで、止め金が受け金に対して正規の位置で係合しているか否か、すなわち、扉又は蓋がボックス本体に確実に錠止（固定）されているか否かを確認することができる。
【図面の簡単な説明】
【０００９】
【図１】本発明の一実施の形態における締付けファスナーの構成を示す図（斜視図）
【図２】同締付けファスナーの各部の構成を示す図（分解斜視図）
【図３】同締付けファスナーの内部構成を示す図（平面断面図）
【図４】同締付けファスナーの背面側の構成を示す図（背面図）
【図５】同締付けファスナーの正面側の構成を示す図（正面図）
【図６】同締付けファスナーの特にカラーの構成を示す図（（ａ）は平面図（ｂ）は側面図）
【図７】同締付けファスナーの特に操作部の内部構成を示す図（（ａ）は操作レバーが操作位置にあるときの平面断面図（ｂ）は操作レバーが収納位置にあるときの平面断面図）
【図８】同締付けファスナーに用いられる一般的に使用されるリング状の封緘具を示す図（斜視図）
【図９】同締付けファスナーを扉に取り付けた状態を示す図（一部断面平面図）
【図１０】同締付けファスナーの操作方法と締付けファスナー各部の動きを示す図
【図１１】同締付けファスナーにより扉をボックス本体へ締め込み錠止する状態を示す図
【発明を実施するための形態】
【００１０】
次に、この発明を実施するための形態について図を用いて説明する。
図１及び図２に締付けファスナーを示している。
図１及び図２に示すように、締付けファスナーＦは、ボックス本体の前面開口を開閉する扉又は蓋（以下、単に扉という。）に装着されて、扉をボックス本体に締め付け固定するもので、本体ケース１と、カラー２と、回転駆動部３Ａ、操作レバー取付部３Ｂ、及び操作レバー３Ｃからなる操作部３と、ロックシャフト４と、作動ピン５と、規制ピン６と、止め金７と、圧縮コイルバネ８とを備えて構成される。
【００１１】
本体ケース１は、図３に示すように、内周面が後端部１３で小径の円筒形、中間部１２で中径の円筒形、前端部１１で大径の円筒形を呈する略筒形に形成され、後端部１３にボックス本体の前面と平行な規制溝１３１を直径上で対向させて２つ有するとともに各規制溝１３１の一端部に前方に向けて延びる凹部１３２を有し、前端部１１の周面（周壁）の一部に切り欠き部１１０を有する。
この場合、本体ケース１は、亜鉛ダイカストにより、全体が略ボルト形に形成されて、略円筒形のシャフト１０２と略円錐台形のヘッド１０１とからなり、シャフト１０２の内周面が後端部１３で小径の円筒形、中間部１２で中径の円筒形、ヘッド１０１の内周面が大径の円筒形になっている。シャフト１０１の中間部１２外周面にはねじ１２１が切られる（図２参照）。なお、このシャフト１０１の中間部１２外周面は断面略小判形に形成されて、この中間部１２外周面に２つの平面１２２が形成されていて、この２つの平面１２２にはねじが切られていない。２つの規制溝１３１は、図４に示すように、シャフト１０２の後端部１３に相互に対向して後端面の中心から所定の角度（この場合、１２０°）の範囲に形成され、各規制溝１３１の一端部に凹部１３２が軸方向に略Ｕ字形に形成される（図３参照）。ヘッド１０１（前端部１１）の切り欠き部１１０は、図５に示すように、ヘッド１０１の周面（周壁）が平面視半円より小さい範囲で切り欠かれて、ヘッド１０１の周面（周壁）は平面視略Ｃ形に形成され、この周面（周壁）の両端面は後述する操作レバー３Ｃの回転軸（シャフト３４）と略平行に形成される。なお、ヘッド１０１の内周面の底部側にはＣ形止め輪９１のための溝１１１が併せて設けられる（図３参照）。
この本体ケース１は、扉に、図２に示すように、防水パッキン９２、歯付き座金９３を介して六角ナット９４により取り付けられる。
【００１２】
カラー２は、図２に示すように、本体ケース１の中間部１２の円筒形内で回転可能に略円筒形を呈し、周面前端に係止凸起２１又は係合凹部を有し、周面に、周面前端側で相互に対向する位置２箇所から相互に周方向逆向きに螺旋状に周面後端側で相互に対向する位置２箇所まで延びる一対のスリットからなる一対のガイド溝２２を有し、本体ケース１の中間部１２の円筒形内に嵌挿される。
この場合、カラー２は、図３に示すように、ステンレス鋼により、本体ケース１の中間部１２に嵌合可能にこの中間部１２の内径よりも僅かに小さい外径を有し、この中間部１２の長さよりも少し短い長さの略円筒形に形成され、前端部の相互に対向する位置に軸方向に向けて係止凸起２１が形成され（図２参照）、一対のガイド溝２２はそれぞれ、図６に示すように、カラー２の周面が、周面前端に近接する相互に対向する位置２箇所、ここでは各係止凸起２１の直後の位置に、周方向に長い長穴２２０を形成されて各長穴２２０から相互に周方向逆向きに斜めに周角度１１０°から１４０°までの範囲内で、ここでは１２６°に、周面後端に近接する相互に対向する位置２箇所まで切り抜かれて、略蛇形に形成される。
このカラー２は、図３に示すように、本体ケース１の中間部１２の円筒形内に嵌挿される。なお、この場合、カラー２は本体ケース１の中間部１２内において後端が本体ケース１の中間部１２と後端部１３との間の段差部に衝接されて、本体ケース１の中間部１２の前端部１１側に操作部３の回転駆動部３Ａの挿入スペースが残される。
【００１３】
操作部３は、図２に示すように、回転駆動部３Ａ、操作レバー取付部３Ｂ及び操作レバー３Ｃからなる。回転駆動部３Ａは、本体ケース１の中間部１２の円筒形内で回転可能に円柱形を呈し、周面後端にカラー２の係止凸起２１又は係合凹部に係合可能な係合凹部３０又は係止凸起を有し、後端面に溝３１を有する。操作レバー取付部３Ｂは、回転駆動部３Ａの前端部に連続して本体ケース１の前端部１１の大径の円筒形内に嵌合可能に略円筒形に形成され、周面（周壁）の一部に本体ケース１の切り欠き部１１０に連通する切り欠き部３３を有する。操作レバー３Ｃは、操作レバー取付部３Ｂ内にシャフト３４を介して、操作レバー取付部３Ｂから前方に回転駆動部３Ａの軸方向に沿って突出される操作位置と操作レバー取付部３Ｂ内に操作レバー取付部３Ｂ及び本体ケース１の各切り欠き部３３、１１０を通して倒伏される収納位置との間で回動可能に取り付けられる。
この場合、操作部３は、図３に示すように、回転駆動部３Ａ及び操作レバー取付部３Ｂが亜鉛ダイカストにより一体に形成され、回転駆動部３Ａが本体ケース１の中間部１２内にカラー２に連続して嵌合可能にこの中間部１２の長さよりも短い略円柱状に、操作レバー取付部３Ｂが本体ケース１の前端部１１（ヘッド１０１）内に嵌合可能に略円筒状に形成される。そして、回転駆動部３Ａの後端面中央に溝３１が円筒状に形成され、周面後端部の相互に対向する位置にそれぞれカラー２の各係止凸起２１に係合可能に係止凹部３０が形成され（図２参照）、さらに、周面中間部にＯリング９５のための取付溝３２が併せて形成される。操作レバー取付部３Ｂは、図５に示すように、周面（周壁）の一部が本体ケース１の切り欠き部１１０に対応して切り欠かれて切り欠き部３３が形成され、また、周面（周壁）にはこの切り欠き部３３に近接して直径上で対向する位置にシャフト挿通部３５が形成される。また、この操作レバー取付部３Ｂの外周面後端部側にはＣ形止め輪９１のための溝３６が形成される（図３参照）。操作レバー取付部３Ｂの内周面は略コ字形に形成され、この操作レバー取付部３Ｂの周面（周壁）の両端面は本体ケース１（前端部１１）の周面（周壁）の両端面と同じ位置で後述する操作レバー３Ｃの回転軸（シャフト３４）と略平行に形成される。この操作レバー取付部３Ｂ内底部には、図３に示すように、クリック板バネ３７が設置される。このクリック板バネ３７は、図７に示すように、２枚の略矩形状の板バネ３７１からなり、各板バネ３７１は後述する操作レバー３Ｃの各ストッパー部３９に係合可能に断面略台形（略等脚台形）を呈し、２枚重ねられて操作レバー取付部３Ｂ内の底部上に配置される。なお、このクリック板バネ３７に一般に用いられるフラットな板バネを使用すると、操作レバー３Ｃの各ストッパー部３９に押圧されたときに、その応力が板バネの中心部に集中するため、塑性変形（ヘタリ）が生じやすく、寿命が短い。これに対して、このクリック板バネ３７に、略台形の板バネ３７１が採用されたことで、操作レバー３Ｃの各ストッパー部３９に押圧されたときに、各板バネ３７１全体が撓み、この全体の撓みが応力を分散することにより、塑性変形が無くなり、寿命が長くなる。操作レバー３Ｃは、図３及び図５に示すように、亜鉛ダイカストにより、本体ケース１の前端部１１及び操作レバー取付部３Ｂの各周面（周壁）の両端面に沿い本体ケース１の前端部１１及び操作レバー取付部３Ｂの各切り欠き部１１０、３３底部上に倒伏配置可能に略矩形のプレート状に形成され、その一側部に操作レバー取付部３Ｂ内に嵌合可能にかつ操作レバー取付部３Ｂのシャフト挿通部３５に連通可能にシャフト挿通部３８が円筒状に形成される。また、この操作レバー３Ｃは、図７に示すように、操作レバー取付部３Ｂにおいて操作位置及び収納位置で操作レバー取付部３Ｂの底部に対向する各部に平面を呈するストッパー部３９を有する。さらに、この操作レバー３Ｃには、図８に示すように、前側の両角部にそれぞれ、円形の孔４０が貫通して形成され、この孔４０に一般に使用されるリング状の封緘具９７を通して取り付け可能にしてある。なお、この場合、封緘具９７は、プラスチック一体成型品で、紐状部９７１とその一端に設けられる結合部９７２とからなり、紐状部９７１をリング状又はループ状に曲げ、この紐状部９７１の他端を結合部９７２に差し込んで結合する形式のもので、この紐状部９７１の他端を一度結合部９７２に結合すると抜けないようになっている。
この操作レバー３Ｃは、図５に示すように、シャフト挿通部３８が操作レバー取付部３Ｂ内に嵌め込まれ、操作レバー取付部３Ｂのシャフト挿通部３５の一方からシャフト３４が操作レバー３Ｃのシャフト挿通部３８に挿通されて、操作レバー取付部３Ｂのシャフト挿通部３５の他方に通され、両端をラッパ状にカシメられて取り付けられる。このようにして操作レバー３Ｃは、図７に示すように、操作レバー取付部３Ｂに、この操作レバー取付部３Ｂから前方に向けて回転駆動部３Ａの軸方向に沿って突出される操作位置と操作レバー取付部３Ｂ内に操作レバー取付部３Ｂ及び本体ケース１の各切り欠き部３３、１１０を通して倒伏される収納位置との間で回動可能に取り付けられ、操作レバー３Ｃの各ストッパー部３９と操作レバー取付部３Ｂ内のクリック板バネ３７との係合により、操作位置及び収納位置の操作レバー３Ｃが保持される。
この操作部３は、図３に示すように、回転駆動部３Ａの周面の取付溝３２にＯリング９５が嵌め付けられ、操作レバー取付部３Ｂの周面の溝３６にＣ形締め輪９１が環装されて、これらを介して、回転駆動部３Ａが本体ケース１の中間部１２、すなわちシャフト１０２の中間部１２にカラー２に連続して挿入配置され、この回転駆動部３Ｂの周面後端部の各係合凹部３０にカラー２の各係止凸起２１が係合されて作動連結され（図２参照）、操作レバー取付部３Ｂが本体ケース１の前端部１１、すなわち、ヘッド１０１内に相互の切り欠き部３３、１１０を合わせて嵌挿され、Ｃ形止め輪９１がヘッド１０１内の溝１１１に係合して抜け止めされる。
【００１４】
ロックシャフト４は、図２に示すように、カラー２内に嵌挿されて、本体ケース１の後端部１３から突出される。
この場合、ロックシャフト４は、図３に示すように、ステンレス鋼により本体ケース１の後端部１３の内周面内に嵌挿可能で、かつ本体ケース１内に挿通配置される前端側の略半部が円柱形に形成され、本体ケース１から後方に突出される後端側の略半部の外周面にねじ４１が切られる。なお、この後端側の略半部は断面小判形に形成されて、外周面に２つの平面４２が形成され、この２つの平面４２にはねじが切られていない。このロックシャフト４の前端側の略半部の円筒形の外周面で前端部側所定の位置に直径方向に作動ピン挿通部４３が、中間部所定の位置に直径方向に規制ピン挿通部４４がそれぞれ平行に貫通形成され、さらに、前端面に圧縮コイルばね８のための受け部４５が凹状に形成される。
このロックシャフト４は、図３に示すように、前端側の略半部が本体ケース１内にカラー２内に嵌挿されて挿通配置され、後端側の略半部が本体ケース１の後端部１３から外部に突出される。
【００１５】
作動ピン５は、図１に示すように、ロックシャフト４の前端部側で直径方向に貫通して設けられ、両端部をカラー２の一対のガイド溝２２に挿通される。
この場合、作動ピン５は、図２に示すように、ステンレス鋼によりロックシャフト４の作動ピン挿通部４３に嵌挿可能でかつ作動ピン挿通部４３よりも少し長い円柱形に形成され、ロックシャフト４前端部側の作動ピン挿通部４３に通されて、両端部がカラー２の一対の螺旋状のガイド溝２２に係合される。なお、この作動ピン５とロックシャフト４によって、操作レバー３Ｃ、操作レバー取付部３Ｂ及びカラー２が一体化される。
規制ピン６は、図１に示すように、ロックシャフト４の中間部に直径方向に貫通して設けられ、両端部を本体ケース１の各規制溝１３１に配置される。
この場合、規制ピン６は、図２に示すように、炭素鋼によりロックシャフト４の規制ピン挿通部４４に嵌挿可能でかつ規制ピン挿通部４４よりも少し長い円筒形に形成され、ロックシャフト４中間部の規制ピン挿通部４４に通されて、両端部が本体ケース１の各規制溝１３１に係合される。
これら作動ピン５、規制ピン６はロックシャフト４の各挿通部４３、４４に平行に取り付けられる。
止め金７は、図２に示すように、ロックシャフト４の後部に設けられてロックシャフト４の側方に突出され、ボックス本体内に設けられる受け部に係脱される。
この場合、止め金７は、図３に示すように、硬鋼線材により形成された細長い板材を断面略クランク形に折り曲げて形成され、一端にロックシャフト４を挿通可能に孔７０が形成され、他端がボックス本体内に設けられる受け部に衝接される係合部７１になっている。
この止め金７は、図３に示すように、一端の孔７０に本体ケース１の後端部１３から突出されるロックシャフト４の後端部が通され、この止め金７の両側を歯付き座金９３を介して六角ナット９４により締め込み固定されて取り付けられ、係合部７１が本体ケース１の周囲所定の位置に配置される。
圧縮コイルバネ８は、図３に示すように、操作部３の回転駆動部３Ａの溝３１に挿入され、ロックシャフト４を後方に向けて押圧付勢する。
この場合、圧縮コイルバネ８は硬鋼線材により形成され、一端部側が回転駆動部３Ａの後端面の溝３１に挿入配置され、他端部がロックシャフト４の前端面の受け部４５に配置されて、回転駆動部３Ａとロックシャフト４との間に圧縮され、この圧縮コイルバネ８により常態としてロックシャフト４が後方に向けて押圧付勢される。
【００１６】
このようにして締付けファスナーＦは、図９に示すように、本体ケース１が扉Ｄに挿着固定されて取り付けられる。
この場合、本体ケース１は、ロックシャフト４から止め金７が取り外され、本体ケース１の前端部後面に防水パッキン９２が配置されて、扉Ｄの前面側から、扉Ｄに穿たれた取付孔Ｄ０に本体ケース１の後端部１３側から挿通され、本体ケース１の前端部１１後面が防水パッキン９２を介して扉Ｄの前面に当接されて、扉Ｄの後面側で、本体ケース後端部１３から中間部１２に歯付き座金９３、六角ナット９４が順次通されて（図２参照）、この六角ナット９４の締め込みにより、本体ケース１の前端部１１後面が防水パッキン９２を介して扉Ｄの前面に圧接され、扉Ｄに本体ケース１の前端部１１と六角ナット９４とにより圧接挟持されて取り付けられる。なお、この後、止め金７は既述のとおりに取り付けられる。
また、この場合、図８に示すように、扉Ｄ又はボックス本体又はその近傍に既述のリング状の封緘具９７を挿通して取り付け可能な孔９９２を有する封緘具取付部９９が併せて取り付けられる。この場合、封緘具取付部９９は金属製のプレート９９１からなり、その一部に封緘具９７を挿通可能な孔９９２が設けられる。なお、封緘具９７については既述のとおりである。
そして、この締付けファスナーＦでは、図９に示すように、操作レバー３Ｃにより操作部３を一方向へ回動操作することにより、カラー２が回転して、カラー２の一対の螺旋状のガイド溝２２とロックシャフト４の作動ピン５との係合案内及び本体ケース１の各凹部１３２とロックシャフト４の規制ピン６との係合案内により、ロックシャフト４が本体ケース１から押し出されて、止め金７を受け部に対して締め込み錠止する錠止位置から後方の対向位置まで直線的に移動し、これに続くカラー２の一対の螺旋状のガイド溝２２（後端）とロックシャフト４の作動ピン５との係合案内及びロックシャフト４の規制ピン６と本体ケース１の各規制溝１３１との係合案内により、ロックシャフト４が回転し、止め金７をボックス本体の受け部Ｂ１に対して後方の対向位置から対向しない錠止解除位置まで回動する。
反対に、操作レバー３Ｃにより操作部３を他方向へ回動操作することにより、カラー２が回転して、カラー２の一対の螺旋状のガイド溝２２（後端）とロックシャフト４の作動ピン５との係合案内及びロックシャフト４の規制ピン６と本体ケース１の各規制溝１３１との係合案内により、ロックシャフト４が回転して、止め金７をボックス本体Ｂの錠止解除位置から受け部に対して後方の対向位置まで回転し、これに続くカラー２の一対の螺旋状のガイド溝２２とロックシャフト４の作動ピン５との係合案内及び本体ケース１の凹部１３２とロックシャフト４の規制ピン６との係合案内により、ロックシャフト４が本体ケース１に引き入れられて、止め金７を受け部に対して後方の対向位置から受け部に対して締め込み錠止する錠止位置まで直線的に移動する。併せて、操作レバー３Ｃを操作レバー取付部３Ｂ内の収納位置に操作レバー取付部３Ｂ及び本体ケース１の前端部１１の各切り欠き部３３、１１０を通して倒伏収納することにより、操作部３が回転止めされるとともに、この収納位置の操作レバー３Ｃにより止め金７と受け部との正規の係合状態を表示する。
【００１７】
図１０にこの締付けファスナーＦによる扉の締め込み動作を具体的に示している。
図１０（１）は、この締付けファスナーＦの止め金７がボックス本体の受け部Ｂ１に対して後方に所定の距離まで直線的に移動され、かつ所定の角度（この場合、１２０°）回転されて、受け部Ｂに対して対向されない錠止解除位置にあり、扉はボックス本体の前面に締め込み固定されていない状態である。なお、ボックス本体と扉の図示は省略している。また、この場合、操作レバー３Ｃは、図７（ａ）に示すように、操作レバー取付部３Ｂから前方に向けて回転駆動部３Ａの軸方向に沿って（つまり、操作位置に）突出され、このとき、操作レバー３Ｃのストッパー部３９と操作レバー取付部３Ｂ内のクリック板バネ３７との係合により、すなわち、操作レバー３Ｃのストッパー部３９がクリック板バネ３７を押圧変形してこのクリック板バネ３７に生じる反力により、この操作位置の操作レバー３Ｃが保持される。
この締付けファスナーＦの締め込み動作では、まず、図９（１）に示すように、操作レバー３Ｃにより操作部３を他方向へ、この場合、時計回りに所定の角度（この場合、１２０°）回動操作して、本体ケース１内でカラー２を同方向に回転する。このときロックシャフト４の作動ピン５が一対の螺旋状のガイド溝２２の後端に係合されていることにより、ロックシャフト４がカラー２とともに同方向に回転し、このロックシャフト４とともに規制ピン６の両端部が各規制溝１３１上を他端部から一端部に向けて回転される。このロックシャフト４の回転により、止め金７が錠止解除位置からボックス本体の受け部Ｂ１に対向する後方位置に向けて回転される。そして、規制ピン６が、図９（２）に示すように、各規制溝１３１の一端部に達すると、止め金７はボックス本体の受け部Ｂ１に対して後方で対向される。続いて、図９（３）に示すように、操作レバー３Ｃにより操作部３をさらに同方向に所定角度（この場合、１２６°）回動操作することにより、ロックシャフト４の規制ピン６が本体ケース１の凹部１３２内に進入しこの凹部１３２上を前方に向けて移動されて、ロックシャフト４の回転を規制し、これにより、ロックシャフト４の作動ピン５が回転されるカラー２の一対の螺旋状のガイド溝２２（後端から前端に向けて斜めの溝）の案内により（図３参照）前方に向けて直線的に移動され、これに連動してロックシャフト４が前方に向けて直線的に移動し、本体ケース１（のシャフト１０２）内に引き入れられる。そして、図９（４）に示すように、ロックシャフト４の規制ピン６が本体ケース１の各凹部１３２の前端に達するとともに、ロックシャフト４の作動ピン５がカラー２の一対の螺旋状のガイド溝２２の前端に達する（図３参照）と、ロックシャフト４が本体ケース１内に作動ピン５の移動距離だけ引き入れられて、止め金７が受け部Ｂ１に対して係合し締め込み錠止する。これに続いて、操作レバー３Ｃを操作レバー取付部３Ｂ内（つまり、収納位置）に倒伏収納する。このとき、図７（ｂ）に示すように、操作レバー３Ｃのストッパー部３９と操作レバー取付部３Ｂ内のクリック板バネ３７との係合により、すなわち、操作レバー３Ｃのストッパー部３９がクリック板バネ３押圧変形してこのクリック板バネ３７に生じる反力により、この収納位置の操作レバー３Ｃが保持される。これより、操作部３が回転止めされるとともに、この収納位置の操作レバー３Ｃにより止め金７と受け部Ｂ１との正規の係合状態が表示される。すなわち、この締付けファスナーＦの構造では、止め金７により完全に錠止されていないと、つまり、止め金７が受け部Ｂ１に対して確実に係合されていないと、操作レバー３Ｃを操作レバー取付部３Ｂ及び本体カバー１の各切り欠き部３３、１１０に通せず、収納位置に倒伏することができないが（図５参照）、止め金７により完全に錠止され、つまり、止め金７が受け部Ｂ１に対して確実に係合されていると、操作レバー３Ｃが操作レバー取付部３Ｂ及び本体カバー１の各切り欠き部３３、１１０に通されて、収納位置に倒伏することができ（図５参照）、止め金７により完全に錠止されている状態が操作部３の回転止めにより保持され、操作レバー３Ｃが収納位置に倒伏��れていることで、止め金７による完全に錠止状態を目視により確認することができる。
なお、扉を開けるときの、締付けファスナーＦの操作は上記と反対になる。
【００１８】
この締付けファスナーＦでは、この締付けファスナーＦを特許文献１の締付けファスナーと略同等の大きさのものとした場合、止め金７の締付けストロークは５．５ｍｍであり、締付けストロークが従来に比べて２ｍｍ程延ばされる。これにより、図１１に示すように、ボックス本体の開口周縁部にパッキンが取り付けられ、しかもこのパッキンが厚く、扉がこのパッキンの反力により大きく押し返されても、止め金７はボックス本体の開口縁部に当たることなしに、ボックス本体の受け部Ｂ１に確実に係合し、これを締付け錠止する。これにより、扉はボックス本体の前面にパッキンを圧縮し確実な密閉状態にして締め込み固定される。
【００１９】
また、この締付けファスナーＦにおいては、図８に示すように、操作レバー３Ｃに既存の封緘具９７を挿通可能に孔４０が設けられていて、扉又はボックス本体又はその近傍には封緘具９７を挿通可能な孔９９２を有する封緘具取付部９９が取り付けられているので、操作レバー３Ｃの孔４０と封緘具取付部９９の孔９９２との間に封緘具９７の紐状部９７１を通し、この紐状部９７１の他端を結合部９７２に差し込むことにより、ループ状に取り付けて、操作レバー３Ｃをロックすることで、扉を簡易に封緘できる。
【００２０】
以上説明したように、この締付けファスナーＦによれば、既述のとおり、操作レバー３Ｃにより操作部３を一方向へ回動操作することにより、カラー２を回転させて、カラー２の一対の螺旋状のガイド溝２２とロックシャフト４の作動ピン５との係合案内及び本体ケース１の各凹部１３２とロックシャフト４の規制ピン６との係合案内により、ロックシャフト４を本体ケース１から押し出して、止め金７を受け部に対して締め込み錠止する錠止位置から後方の対向位置まで直線的に移動し、これに続くカラー２の螺旋状の各ガイド溝２２とロックシャフト４の作動ピン５との係合案内及びロックシャフト４の規制ピン６と本体ケース１の各規制溝１３１との係合案内により、ロックシャフト４を回転し、止め金７を受け部に対して後方の対向位置から対向しない錠止解除位置まで回動し、反対に、操作レバー３Ｃにより操作部３を他方向へ回動操作することにより、カラー２を回転させて、カラー２の螺旋状の各ガイド溝２２とロックシャフト４の作動ピン５との係合案内及びロックシャフト４の規制ピン６と本体ケース１の各規制溝１３１との係合案内により、ロックシャフト４を回転して、止め金７を錠止解除位置から受け部に対して後方の対向位置まで回転し、これに続くカラー２の一対の螺旋状のガイド溝２２とロックシャフト４の作動ピン５との係合案内及び本体ケース１の各凹部１３２とロックシャフト４の規制ピン６との係合案内により、ロックシャフト４を本体ケース１に引き入れて、止め金７を受け部に対して後方の対向位置から受け部に対して締め込み錠止する錠止位置まで直線的に移動するようにしたので、カラー２の一端側から他端側に延びる一対の螺旋状のガイド溝２２により止め金７の締付けストロークを大幅に大きくして、扉とボックス本体との間に配置されるパッキンが厚いものであっても、止め金７をボックス本体に当たらないようにして、錠止を確実に行うことができる。
特に、この締付けファスナーＦでは、カラー２の一対の螺旋状のガイド溝２２は、カラー２の周面が、周面前端に近接する相互に対向する位置２箇所に周方向に長い長穴２２０を形成されて各長穴２２０から相互に周方向逆向きに斜めに周角度１１０°から１４０°までの範囲内で周面後端に近接する相互に対向する位置２箇所まで切り抜かれて略蛇形に形成されるので、各ガイド溝２２の長さを可及的に長くし、かつ各ガイド溝２２の軸芯に対する傾斜角を可及的に緩やかにすることができ、これにより、作動ピン５を各ガイド溝２２に沿って円滑に摺動させて、操作レバー３Ｃの回動操作を軽くすることができる。
また、この締付けファスナーＦでは、操作レバー３Ｃにより操作部３を他方向へ回動操作することにより、止め金７を受け部に対して締め込み錠止したときに、併せて操作レバー３Ｃを操作レバー取付部３Ｂ内の収納位置に操作レバー取付部３Ｂ及び本体ケース１の各切り欠き部３３、１１０を通して倒伏収納することにより、操作部３を回転止めするとともに、止め金７と受け部との正規の係合状態を表示するようにしたので、この締付けファスナーＦによる確実な錠止を行い、これを保持することができ、さらに、操作ハンドル３Ｃの外部からの目視だけで、止め金７が受け部に対して正規の位置で係合しているか否か、すなわち、扉がボックス本体に確実に錠止（固定）されているか否かを確認することができる。
【００２１】
さらに、この締付けファスナーＦにおいては、次のような利点を有する。
この締付けファスナーＦでは、操作レバー３Ｃは、操作レバー取付部３Ｂにおいて操作位置及び収納位置で操作レバー取付部３Ｂの底部に対向する各部に平面を呈するストッパー部３９を有し、操作レバー取付部３Ｂの底部に操作レバー３Ｃの各ストッパー部３９に係合可能に断面略台形を呈する板バネ３７１を有し、各ストッパー部３９と板バネ３７１との係合により、操作位置及び収納位置の操作レバー３Ｃを保持するようにしたので、操作レバー３Ｃを操作する際に、操作レバー３Ｃを操作部３の前方（操作者から見て手前に）にしっかり突出させて、操作レバー３Ｃの回動操作を円滑に行うことができ、操作レバー３Ｃを収納する際に、操作レバー３Ｃを操作レバー取付部３Ｂ内の収納位置にがたつくことなくしっかり収納することができる。
この締付けファスナーＦでは、操作レバー３Ｃに既存のリング状の封緘具９７を挿通可能に孔４０を有し、扉又はボックス本体又はその近傍に封緘具９７を挿通可能な孔９９２を有する封緘具取付部９９が取り付けられ、操作レバー３Ｃの孔４０と封緘具取付部９９の孔９９２との間に封緘具９９が通されロックされて、扉を封緘するようにしたので、締付けファスナーＦを簡易にしかも確実にロックして、扉を簡易かつ確実に封緘することができる。
【符号の説明】
【００２２】
Ｆ  締付けファスナー
１  本体ケース
１０１  ヘッド
１０２  シャフト
１１  前端部
１１０  切り欠き部
１１１  溝
１２  中間部
１２１  ねじ
１２２  平面
１３  後端部
１３１  規制溝
１３２  凹部
２  カラー
２１  係止凸起
２２  ガイド溝
２２０  長穴
３  操作部
３Ａ  回転駆動部
３０  係合凹部
３１  溝
３２  取付溝
３Ｂ  操作レバー取付部
３３  切り欠き部
３４  シャフト
３５  シャフト挿通部
３６  溝
３７  クリック板バネ
３７１  板バネ
３Ｃ  操作レバー
３８  シャフト挿通部
３９  ストッパー部
４０  孔
４  ロックシャフト
４１  ねじ
４２  平面
４３  作動ピン挿通部
４４  規制ピン挿通部
４５  受け部
５  作動ピン
６  規制ピン
７  止め金
７０  孔
７１  係合部
８  圧縮コイルバネ
９１  Ｃ形止め輪
９２  防水パッキン
９３  歯付き座金
９４  六角ナット
９５  Ｏリング
９７  封緘具
９７１  紐状部
９７２  結合部
９９  封緘具取付部
９９１  プレート
９９２  孔
Ｂ  ボックス本体
Ｂ１  受け部
Ｄ  扉又は蓋
Ｄ０  取付孔
【図１】
0006692221.tif 000002
【図２】
0006692221.tif 000003
【図３】
0006692221.tif 000004
【図４】
0006692221.tif 000005
【図５】
0006692221.tif 000006
【図６】
0006692221.tif 000007
【図７】
0006692221.tif 000008
【図８】
0006692221.tif 000009
【図９】
0006692221.tif 000010
【図１０】
0006692221.tif 000011
【図１１】
0006692221.tif 000012